(57)【特許請求の範囲】
【請求項１】
セルの輻輳状態情報、前記セルのリソース関連情報、及び前記セル内のユーザ機器（ＵＥ）の加入者関連情報をポリシー制御及び課金ルール機能（ＰＣＲＦ）エンティティによって取得することと、
前記セルの前記輻輳状態情報、前記セルの前記リソース関連情報、及び前記セル内の前記ＵＥの前記加入者関連情報に応じて、前記セル内の前記ＵＥに対するポリシーを前記ＰＣＲＦエンティティによって生成することと、
前記ポリシーを前記ポリシー及び課金実施機能（ＰＣＥＦ）エンティティに前記ＰＣＲＦエンティティによって送信することと、
を備える、サービスを制御する方法。
【請求項２】
前記セル内の前記ＵＥの加入者関連情報に応じて、前記セル内の前記ＵＥの加入者加入情報を前記ＰＣＲＦエンティティによって取得することを更に備え、
前記生成することは、前記セルの前記輻輳状態情報、前記セルの前記リソース関連情報、前記セル内の前記ＵＥの前記加入者関連情報、及び前記セル内の前記ＵＥの前記加入者加入情報に応じて、前記セル内の前記ＵＥに対する前記ポリシーを前記ＰＣＲＦエンティティによって生成することを含む、
請求項１に記載の方法。
【請求項３】
前記セル内の前記ＵＥの前記加入者関連情報は、前記セル内のアクティブ状態にあるＵＥの加入者関連情報である、請求項１又は２に記載の方法。
【請求項４】
前記セル内の前記ＵＥの前記加入者関連情報は、前記セルに入るＵＥの識別情報である、請求項１又は２に記載の方法。
【請求項５】
前記ポリシーを、ベアラバインディング及びイベントレポーティング機能（ＢＢＥＲＦ）エンティティに、前記ＰＣＲＦエンティティによって送信することを更に備える、
請求項１に記載の方法。
【請求項６】
セル輻輳状態を検出して送信することをアクセスネットワーク装置に指令するために、前記セル輻輳状態を検出するシグナリングを前記ＰＣＥＦエンティティ若しくは保守運用管理（ＯＭ）システムを介して又は直接的に前記アクセスネットワーク装置に前記ＰＣＲＦエンティティによって送信することを更に備え、
前記セルの輻輳状態情報を取得することは、前記アクセスネットワーク装置が前記セルが輻輳していることを検出したとき、前記アクセスネットワーク装置によって前記ＰＣＥＦエンティティ若しくは前記ＯＭシステムを介して又は直接的に送信された前記セルのセル輻輳指示情報を前記ＰＣＲＦエンティティによって受信し、前記セル輻輳指示情報に応じて前記セルの前記輻輳状態情報を取得することを含む、
請求項１〜３のいずれか１項に記載の方法。
【請求項７】
アクセスネットワーク装置が前記セルのセル輻輳イベントを検出したとき、セル輻輳状態を送信することを前記アクセスネットワーク装置に指令するために、セル輻輳イベントを前記ＰＣＥＦエンティティ若しくはＯＭシステムを介して又は直接的に前記アクセスネットワーク装置に前記ＰＣＲＦエンティティによって送信することを更に備え、
前記セルの輻輳状態情報を取得することは、前記アクセスネットワーク装置が前記セルが輻輳していることを検出したとき、前記アクセスネットワーク装置によって前記ＰＣＥＦエンティティ若しくは前記ＯＭシステムを介して又は直接的に送信されたセル輻輳イベント及びセル識別情報を前記ＰＣＲＦエンティティによって受信し、前記セル輻輳イベントに応じて前記セルの前記輻輳状態情報を前記ＰＣＲＦエンティティによって取得することを含む、
請求項１〜３のいずれか１項に記載の方法。
【請求項８】
セルの輻輳状態情報、前記セルのリソース関連情報、及び前記セル内のユーザ機器（ＵＥ）の加入者関連情報を取得するように構成される取得モジュールと、
前記セルの前記輻輳状態情報、前記セルの前記リソース関連情報、及び前記セル内の前記ＵＥの前記加入者関連情報に応じて、前記セル内の前記ＵＥに対するポリシーを生成するように構成される決定モジュールと、
前記ポリシーをポリシー及び課金実施機能（ＰＣＥＦ）エンティティに送信するように構成される送信モジュールと、
を備える、サービスを制御する装置。
【請求項９】
前記取得モジュールは、前記セル内の前記ＵＥの前記加入者関連情報に応じて、前記セル内の前記ＵＥの加入者加入情報を取得するように更に構成され、
前記決定モジュールは、前記セル内の前記ＵＥに対するポリシーを生成する際に、前記セルの前記輻輳状態情報、前記セルの前記リソース関連情報、前記セル内の前記ＵＥの前記加入者関連情報、及び前記セル内の前記ＵＥの加入者加入情報に応じて、前記セル内の前記ＵＥに対する前記ポリシーを生成するように更に構成され、
前記決定モジュールによって生成された前記ポリシーを前記ＰＣＥＦエンティティに送信するように構成される、
請求項８に記載の装置。
【請求項１０】
前記セル内の前記ＵＥの前記加入者関連情報は、前記セル内のアクティブ状態にあるＵＥの加入者関連情報である、請求項８又は９に記載の装置。
【請求項１１】
前記セル内の前記ＵＥの前記加入者関連情報は、前記セルに入るＵＥの識別情報である、請求項８又は９に記載の装置。
【請求項１２】
前記送信モジュールは、ベアラバインディング及びイベントレポーティング機能（ＢＢＥＲＦ）エンティティが前記ポリシーを実行することを可能にするために、前記ポリシーを前記ＢＢＥＲＦに送信するように更に構成される、
請求項８に記載の装置。
【請求項１３】
前記送信モジュールは、
セル輻輳状態を検出して送信することをアクセスネットワーク装置に指令するために、前記セル輻輳状態を検出するシグナリングを前記ＰＣＥＦエンティティ若しくは保守運用管理（ＯＭ）システムを介して又は直接的に前記アクセスネットワーク装置に送信するように更に構成され、
前記取得モジュールは、前記セル内の前記ＵＥに対するポリシーを生成する際に、前記アクセスネットワーク装置が前記セルが輻輳していることを検出したとき、前記アクセスネットワーク装置によって前記ＰＣＥＦエンティティ若しくは前記ＯＭシステムを介して又は直接的に送信された前記セルのセル輻輳指示情報を受信し、前記セル輻輳指示情報に応じて前記セルについての前記輻輳状態情報を取得するように更に構成される、
請求項８〜１０のいずれか１項に記載の装置。
【請求項１４】
前記送信モジュールは、
アクセスネットワーク装置が前記セルのセル輻輳イベントを検出したとき、セル輻輳状態を送信することを前記アクセスネットワーク装置に指令するために、前記セル輻輳イベントを前記ＰＣＥＦエンティティ若しくはＯＭシステムを介して又は直接的に前記アクセスネットワーク装置に送信するように更に構成され、
前記取得モジュールは、前記セル内の前記ＵＥに対するポリシーを生成する際に、前記アクセスネットワーク装置が前記セルが輻輳していることを検出したとき、前記アクセスネットワーク装置によって前記ＰＣＥＦエンティティ若しくは前記ＯＭシステムを介して又は直接的に送信されたセル輻輳イベント及びセル識別情報を受信し、前記セル輻輳イベントに応じて前記セルについての前記輻輳状態情報を取得するように更に構成される、
請求項８〜１０のいずれか１項に記載の装置。
【請求項１５】
請求項１〜７のいずれか１項に記載の方法をコンピュータに実行させる命令を含むプログラムが格納されたコンピュータ可読記憶媒体。
【発明の詳細な説明】
【技術分野】
【０００１】
本発明の実施形態は、通信技術の分野に関し、詳しくは、サービスを制御する方法、装置、及びシステムに関する。
【背景技術】
【０００２】
通信ネットワークは、回路交換（Ｃｉｒｃｕｉｔ  Ｓｗｉｔｃｈｉｎｇ、略称：ＣＳ）ドメインネットワークからＩＰベースのパケット交換（Ｐａｃｋｅｔ  Ｓｗｉｔｃｈｉｎｇ、略称ＰＳ）ドメインネットワークに発展している。ＩＰネットワークにおいてキャリアクラスサービスを提供するために、重要な課題は、ユーザの（特に、ビデオ通話等のリアルタイムサービスのための）通信品質要求を満たすためにエンドツーエンドのサービス品質（Ｑｕａｌｉｔｙ  ｏｆ  Ｓｅｒｖｉｃｅ、略称：ＱｏＳ）問題をどのように取り扱うかである。その上、（ウェブ・ブラウジング、ファイル・ダウンローディング、及びビデオ・オン・デマンド等）より多くのサービスのタイプがＩＰ通信ネットワークにおいて提供され得るので、ネットワークは、異なるサービスストリームに応じて課金能力をもつ必要がある。
【０００３】
これらの要求を満たすために、第３世代パートナーシップ・プロジェクト（３ｒｄ  Ｇｅｎｅｒａｔｉｏｎ  Ｐａｒｔｎｅｒｓｈｉｐ  Ｐｒｏｊｅｃｔ、略称：３ＧＰＰ）は、ポリシー及び課金制御（Ｐｏｌｉｃｙ  ａｎｄ  Ｃｈａｒｇｉｎｇ  Ｃｏｎｔｒｏｌ、略称：ＰＣＣ）アーキテクチャを規定し、ＰＣＣアーキテクチャは、ポリシー制御及び課金ルール機能エンティティ（Ｐｏｌｉｃｙ  Ｃｏｎｔｒｏｌ  ａｎｄ  Ｃｈａｒｇｉｎｇ  Ｒｕｌｅｓ  Ｆｕｎｃｔｉｏｎ、略称：ＰＣＲＦ）を含む。機能エンティティは、加入者によるネットワークアクセスの制限と、通信事業者（ｃａｒｒｉｅｒ）のポリシーと、加入者加入データと、加入者に現在提供されるサービスに関する情報とに応じてＰＣＣルールを決定し、ＰＣＣルールをポリシー及び課金実施機能エンティティ（Ｐｏｌｉｃｙ  ａｎｄ  Ｃｈａｒｇｉｎｇ  Ｅｎｆｏｒｃｅｍｅｎｔ  Ｆｕｎｃｔｉｏｎ、略称：ＰＣＥＦ）に送信し、その後、ＰＣＥＦは、ＰＣＣルールを実行する。ＰＣＣルールは、サービス・データ・ストリームの検出ルールと、ゲーティングを実行すべきか否かと、サービス・データ・ストリームに対応するＱｏＳと、（時間、トラフィック及びイベントに基づく課金等の）ストリームベースの課金ルールとを含む。ＰＣＥＦは、ＰＣＲＦによって送信されたＰＣＣルールを実行することにより、サービス・データ・ストリームの検出及び測定と、サービス・データ・ストリームに対するＱｏＳ保証と、ユーザプレーンでのトラフィック処理と、制御プレーンでのセッション制御とを実施する。
【０００４】
既存のＰＣＣアーキテクチャでは、ＰＣＥＦ及びＰＣＲＦは、単一のユーザ機器（Ｕｓｅｒ  Ｅｑｕｉｐｍｅｎｔ、略称ＵＥ）のロケーション情報を購読すること（ｓｕｂｓｃｒｉｂｅ）だけが可能である。ＰＣＲＦは、ＵＥのロケーション情報及び加入情報だけに応じてＵＥのＰＣＣルールを決定し、ＵＥのサービスだけが確保されるという結果になるが、同じセル内のアクティブ状態にある他のＵＥのサービスは確保され得ないので、無線リソースが十分に利用され得ない。
【発明の概要】
【発明が解決しようとする課題】
【０００５】
本発明の実施形態は、セルの無線リソースを十分に利用するためにセル内の全ＵＥのサービスの制御を実施するように、サービスを制御する方法、装置、及びシステムを提供する。
【課題を解決するための手段】
【０００６】
本発明の実施形態は、
ＰＣＲＦにより、アクセスネットワークによって送信されたセルの輻輳状態情報、このセルのリソース関連情報、及びこのセル内のアクティブ状態にあるＵＥの加入者関連情報を取得することと、
ＰＣＲＦにより、このセルの輻輳状態情報、このセルのリソース関連情報、及びこのセル内のアクティブ状態にあるＵＥの加入者関連情報に応じて、このセル内のアクティブ状態にあるＵＥに対するＱｏＳポリシー及び／又は課金ポリシーを生成することと、
ＰＣＥＦがＱｏＳポリシー及び／又は課金ポリシーを実行することを可能にするために、ＰＣＲＦにより、ＱｏＳポリシー及び／又は課金ポリシーをＰＣＥＦに送信することと、
を含む、サービスを提供する方法を提供する。
【０００７】
本発明の実施形態は、サービスを制御する装置であって、
アクセスネットワーク装置によって送信されたセルの輻輳状態情報、このセルのリソース関連情報、及びこのセル内のアクティブ状態にあるＵＥの加入者関連情報を取得するように構成される取得モジュールと、
このセルの輻輳状態情報、このセルのリソース関連情報、及びこのセル内のアクティブ状態にあるＵＥの加入者関連情報に応じて、このセル内のアクティブ状態にあるＵＥに対するＱｏＳポリシー及び／又は課金ポリシーを生成するように構成される決定モジュールと、
ＰＣＥＦがＱｏＳポリシー及び／又は課金ポリシーを実行することを可能にするために、ＱｏＳポリシー及び／又は課金ポリシーをＰＣＥＦに送信するように構成される送信モジュールと、
を含む装置を更に提供する。
【０００８】
本発明の実施形態は、アクセスネットワーク装置とＰＣＲＦとを含む、サービスを制御するシステムであって、
アクセスネットワーク装置は、セルの輻輳状態情報、このセルのリソース関連情報、及びこのセル内のアクティブ状態にあるＵＥの加入者関連情報をＰＣＲＦに送信するように構成され、
ＰＣＲＦは、アクセスネットワーク装置によって送信されたこのセルの輻輳状態情報、このセルのリソース関連情報、及びこのセル内のアクティブ状態にあるＵＥの加入者関連情報を受信し、このセルの輻輳状態情報、このセルのリソース関連情報、及びこのセル内のアクティブ状態にあるＵＥの加入者関連情報に応じて、このセル内のアクティブ状態にあるＵＥに対するＱｏＳポリシー及び／又は課金ポリシーを生成し、そして、ＰＣＥＦがＰＣＲＦによって送信されたＱｏＳポリシー及び／又は課金ポリシーを受信し実行することを可能にするために、生成されたＱｏＳポリシー及び／又は課金ポリシーをＰＣＥＦに送信するように構成される、
システムを更に提供する。
【発明の効果】
【０００９】
上記の技術的解決手法によれば、本発明の実施形態において、アクセスネットワーク装置によって送信されたセルの輻輳状態情報、このセルのリソース関連情報、及びこのセル内のアクティブ状態にあるＵＥの加入者関連情報を取得することにより、ＰＣＲＦは、ＰＣＥＦがＱｏＳポリシー及び／又は課金ポリシーを実行することを可能にするために、取得した情報に応じて、セル内のアクティブ状態であるＵＥに対するＱｏｓポリシー及び／又は課金ポリシーを生成し、ＰＣＥＦにこのＱｏｓポリシー及び／又は課金ポリシーを送信することができ、それによって、このセル内のアクティブ状態にある全ＵＥのサービスの制御を実施する。
【図面の簡単な説明】
【００１０】
本発明の実施形態又は従来技術における技術的解決手法をより明瞭に説明するために、以下は、実施形態又は従来技術を説明するために必要とされる添付図面を簡単に紹介する。明らかに、以下の説明における添付図面は、本発明の一部の実施形態を示すだけであり、当業者は、創造的な努力を要することなくこれらの添付図面から他の図面を更に得てもよい。
【００１１】
【図１】図１は、３ＧＰＰによって規定されるＰＣＣアーキテクチャの概略図である。
【図２】図２は、ＰＣＣアーキテクチャにおけるＰＣＲＦとＰＣＥＦとの間の情報交換の概略フローチャートである。
【図３】図３は、本発明の実施形態１によるサービスを制御する方法の概略フローチャートである。
【図４】図４は、本発明の実施形態２によるサービスを制御する方法の概略フローチャートである。
【図５】図５は、本発明の実施形態３によるサービスを制御する方法の概略フローチャートである。
【図６】図６は、本発明の実施形態４によるサービスを制御する方法の概略フローチャートである。
【図７】図７は、本発明の実施形態５によるサービスを制御する装置の概略フローチャートである。
【図８】図８は、本発明の実施形態６によるサービスを制御するシステムの概略フローチャートである。
【発明を実施するための形態】
【００１２】
本発明の実施形態の目的、技術的解決手法、及び利点をより分かりやすくするために、以下は、本発明の実施形態における添付図面を参照して、本発明の実施形態における技術的解決手法をより明瞭かつ完全に説明する。明らかに、説明された実施形態は、本発明の実施形態の全部ではなく一部に過ぎない。創造的な努力を要することなく本発明の実施形態により当業者によって取得されるすべての他の実施形態は、本発明の保護範囲に当然含まれる。
【００１３】
図１は、３ＧＰＰにより定義されたＰＣＣアーキテクチャの概略図である。図１に示されるように、ＰＣＣアーキテクチャでは、異なったサービスストリームがネットワーク側で検出されてもよく、ＱｏＳ制御及び課金統計収集がサービスストリームに応じて実行される。図１に示されたＰＣＣアーキテクチャでは、ＰＣＲＦとＰＣＥＦとの間の情報交換のフローチャートが図２に示され、ＰＣＲＦとＰＣＥＦとの間の情報交換は、以下のステップを含む。
【００１４】
ステップ２０１：アクセスネットワーク装置は、ＩＰコネクティビティ・アクセス・ネットワーク（ＩＰ  Ｃｏｎｎｅｃｔｉｖｉｔｙ  Ａｃｃｅｓｓ  Ｎｅｔｗｏｒｋ、略称：ＩＰ  ＣＡＮ）セッションセットアップ要求メッセージをＰＣＥＦに送信する。ＩＰ−ＣＡＮセッションセットアップ要求メッセージのフォーマットは、アクセス・ネットワーク・タイプに関連している。たとえば、ＧＰＲＳネットワークに対し、第１のＰＤＰコンテキストがセットアップされる。
【００１５】
ステップ２０２：ＰＣＥＦは、与信管理要求（Ｃｒｅｄｉｔ−Ｃｏｎｔｒｏｌ−Ｒｅｑｕｅｓｔ、略称：ＣＣＲ）メッセージをＰＣＲＦに送信し、このＣＣＲメッセージは、ＵＥ識別情報及びＩＰアドレス等の情報を含む。
【００１６】
ステップ２０３：ＰＣＲＦは、受信したＣＣＲメッセージに含まれる情報と、ＵＥによるネットワークへのアクセスの制限と、通信事業者のポリシーと、加入者加入データと、現在ＵＥに供給されているサービスについての情報とに応じて、対応するＰＣＣルールを生成するためにＰＣＣポリシー決定を行う。場合によっては、ＰＣＲＦは、トリガー・イベント・リスト（たとえば、ＵＥのロケーション変更等のイベント）を更に決定してもよい。
【００１７】
ステップ２０４：ＰＣＲＦは、与信管理応答（Ｃｒｅｄｉｔ−Ｃｏｎｔｒｏｌ−Ａｎｓｅｒ、略称：ＣＣＡ）メッセージをＰＣＥＦに送信し、このＣＣＡメッセージは、生成されたＰＣＣルールを含む。場合によっては、ＣＣＡメッセージは、決定されたトリガー・イベント・リストを更に含んでもよい。
【００１８】
ステップ２０５：ＰＣＥＦは、ＰＣＣルールを取り込み（ｌｏａｄ）、実行し、イベントをトリガー・イベント・リストに保存する。
【００１９】
ステップ２０６：ＰＣＥＦは、ＩＰ−ＣＡＮセッションセットアップ応答メッセージをアクセスネットワーク装置に送信する。
【００２０】
ステップ２０７：ＰＣＥＦは、ＰＣＲＦによって送信されたトリガー・イベント・リスト内のイベントに応じてイベントを検出する。
【００２１】
ステップ２０８：ＰＣＥＦが、イベントが生成されたことを検出したとき、ＰＣＥＦは、ＣＣＲメッセージをＰＣＲＦに送信し、このＣＣＲメッセージは、ＣＣＲメッセージをトリガするイベントを含む。場合によっては、ＣＣＲメッセージは、イベントについての関連する情報を含む。
【００２２】
ステップ２０９：ＰＣＲＦは、対応するＲＣＣルールを再生成するためにＰＣＣポリシー決定を再び行う。場合によっては、ＰＣＲＦは、トリガー・イベント・リストを更に再決定してもよい。
【００２３】
ステップ２１０：ＰＣＲＦは、ＣＣＡメッセージをＰＣＥＦに送信し、このＣＣＡメッセージは、再生成されたＰＣＣルールを含む。場合によっては、ＣＣＡメッセージは、再決定されたトリガー・イベント・リストを更に含んでもよい。
【００２４】
ステップ２１１：代替的に、ＰＣＲＦは、再認証要求（Ｒｅ−Ａｕｔｈ−Ｒｅｑｕｅｓｔ、略称：ＲＡＲ）メッセージを使用してＰＣＣルール及びトリガー・イベント・リストをＰＣＥＦに能動的に送信してもよい。
【００２５】
ステップ２１２：ＰＣＥＦは、再認証要求（Ｒｅ−Ａｕｔｈ−Ｒｅｑｕｅｓｔ、略称ＲＡＲ）メッセージの中に含まれるＰＣＣルールを取り込み、実行し、ＰＣＥＦは、ＰＣＣルールを取り込み、実行し、トリガー・イベント・リストがＲＡＲメッセージの中に含まれる場合、ＰＣＥＦは、トリガー・イベント・リストを保存し、応答としてＲＡＡメッセージを送信する。
【００２６】
したがって、上記ＰＣＣアーキテクチャでは、ＰＣＥＦ及びＰＣＲＦは、単一のＵＥについてのロケーション情報を送信すること、又は、単一のＵＥのロケーション変更を購読することだけが可能であり、ＵＥのロケーションが変化するとき、ＰＣＥＦは、ＰＣＲＦがポリシーを決定するためにＵＥの現在ロケーション情報をＰＣＲＦに報告する。
【００２７】
図３は、本発明の実施形態１によるサービスを制御する方法の概略フローチャートである。図３に示されるように、本実施形態におけるサービスを制御する方法は、以下のステップを含み得る。
【００２８】
ステップ３０１：ＰＣＲＦは、アクセスネットワーク装置によって送信されたセルの輻輳状態情報、このセルのリソース関連情報、及びこのセル内のアクティブ状態にあるＵＥの加入者関連情報を取得する。
【００２９】
輻輳状態情報は、このセルの輻輳イベントについてのセル輻輳指示情報又は関連情報を含んでもよく、このセルのリソース関連情報は、限定されることなく、このセルがサポートし得る最大データサービス帯域幅、及び／又は、このセルが役立ち得るＵＥの最大数を含んでもよく、このセル内のアクティブ状態にあるＵＥの加入者関連情報は、限定されることなく、このセル内のアクティブ状態にあるＵＥの加入者リスト情報を含んでもよく、このセル内のアクティブ状態にあるＵＥの加入者リスト情報は、ＵＥ識別情報を含む。
【００３０】
ステップ３０２：ＰＣＲＦは、このセルの輻輳状態情報、このセルのリソース関連情報、及びこのセル内のアクティブ状態にあるＵＥの加入者関連情報に応じて、このセル内のアクティブ状態にあるＵＥに対するＱｏＳポリシー及び／又は課金ポリシーを生成する。
【００３１】
ステップ３０３：ＰＣＲＦは、ＰＣＥＦがＱｏＳポリシー及び／又は課金ポリシーを実行することを可能にするために、ＱｏＳポリシー及び／又は課金ポリシーをＰＣＥＦに送信する。
【００３２】
更に、ベアラバインディング及びイベントレポーティング機能エンティティ（Ｂｅａｒｅｒ  Ｂｉｎｄｉｎｇ  ａｎｄ  Ｅｖｅｎｔ  Ｒｅｐｏｒｔｉｎｇ  Ｆｕｎｃｔｉｏｎ、略称：ＢＢＥＲＦ）がネットワーク内に存在する場合、ＰＣＲＦは、ＢＢＥＲＦがＱｏＳポリシーを実行することを可能にするために、ＱｏＳポリシーをＢＢＥＲＦに更に送信してもよい。
【００３３】
本実施形態において提供されるサービスを制御する方法は、ユニバーサルモバイル通信システム（Ｕｎｉｖｅｒｓａｌ  Ｍｏｂｉｌｅ  Ｔｅｌｅｃｏｍｍｕｎｉｃａｔｉｏｎ、略称：ＵＭＴＳ）、進化型ユニバーサル移動体通信システム地上無線アクセスネットワーク（Ｅｖｏｌｖｅｄ  Ｕｎｉｖｅｒｓａｌ  Ｍｏｂｉｌｅ  Ｔｅｌｅｃｏｍｍｕｎｉｃａｔｉｏｎ  Ｓｙｓｔｅｍ  Ｔｅｒｒｉｔｏｒｉａｌ  Ｒａｄｉｏ  Ａｃｃｅｓｓ  Ｎｅｔｗｏｒｋ、略称：Ｅ−ＵＴＲＡＮ）、ＵＭＴＳ地上無線アクセスネットワーク（ＵＭＴＳ  Ｔｅｒｒｉｔｏｒｉａｌ  Ｒａｄｉｏ  Ａｃｃｅｓｓ  Ｎｅｔｗｏｒｋ、略称：ＵＴＲＡＮ）、グローバル移動体通信システム（Ｇｌｏｂａｌ  Ｓｙｓｔｅｍ  ｆｏｒ  Ｍｏｂｉｌｅ  Ｃｏｍｍｕｎｉｃａｔｉｏｎｓ、略称ＧＳＭ）／ＧＳＭ進化型高速データレート（Ｅｎｈａｎｃｅｄ  Ｄａｔａ  ｒａｔｅ  ｆｏｒ  ＧＳＭ  Ｅｖｏｌｕｔｉｏｎ、略称ＥＤＧＥ）、ＧＳＭ  ＥＤＧＥ無線アクセスネットワーク（ＧＳＭ  ＥＤＧＥ  Ｒａｄｉｏ  Ａｃｃｅｓｓ  Ｎｅｔｗｏｒｋ、略称：ＧＥＲＡＮ）、及び非第３世代パートナーシップ・プロジェクト（ｔｈｅ  ３ｒｄ  Ｇｅｎｅｒａｔｉｏｎ  Ｐａｒｔｎｅｒ  Ｐｒｏｊｅｃｔ、略称３ＧＰＰ）ネットワーク等の複数のワイヤレス・アクセス・ネットワークのタイプに適用されてもよい。
【００３４】
ＰＣＥＦは、具体的にゲートウェイ装置に位置してもよい。具体的には、ゲートウェイ装置は、Ｅ−ＵＴＲＡＮにおけるパケット・データ・ネットワーク・ゲートウェイ（Ｐａｃｋｅｔ  Ｄａｔａ  Ｎｅｔｗｏｒｋ  Ｇａｔｅｗａｙ、略称Ｐ−ＧＷ）、ＵＴＲＡＮ／ＧＥＲＡＮにおけるゲートウェイ一般パケット無線サービス（Ｇｅｎｅｒａｌ  Ｐａｃｋｅｔ  Ｒａｄｉｏ  Ｓｅｒｖｉｃｅ、略称ＧＰＲＳ）サポートノード（Ｇａｔｅｗａｙ  ＧＰＲＳ  Ｓｕｐｐｏｒｔｉｎｇ  Ｎｏｄｅ、略称ＧＧＳＮ）、又はその他のネットワーク要素でもよい。
【００３５】
ＢＢＥＲＦは、具体的にゲートウェイ装置に位置してもよい。具体的には、ゲートウェイ装置は、Ｅ−ＵＴＲＡＮにおけるサービングゲートウェイ（Ｓｅｒｖｉｎｇ  Ｇａｔｅｗａｙ、略称Ｓ−ＧＷ）又は非３ＧＰＰネットワークにおける信頼できる非３ＧＰＰアクセスゲートウェイ（Ｔｒｕｓｔｅｄ  ｎｏｎ−３ＧＰＰ  Ａｃｃｅｓｓ  Ｇａｔｅｗｅｙ）でもよい。
【００３６】
アクセスネットワーク装置は、Ｅ−ＵＴＲＡＮにおける進化型ＮｏｄｅＢ（Ｅｖｏｌｏｖｅｄ  ＮｏｄｅＢ、略称：ｅＮＢ）、ＵＴＲＡＮ／ＧＥＲＡＮにおける無線ネットワークコントローラ（Ｒａｄｉｏ  Ｎｅｔｗｏｒｋ  Ｃｏｎｔｒｏｌｌｅｒ、略称ＲＮＣ）若しくは基地局コントローラ（Ｂａｓｅ  Ｓｔａｔｉｏｎ  Ｃｏｎｔｒｏｌｌｅｒ、略称ＢＳＣ）、非３ＧＰＰネットワークにおけるＷＬＡＮのｅＰＤＧのアクセスネットワーク論理機能、ＷｉＭＡＸネットワークにおけるアクセス・サービス・ネットワーク基地局（Ａｃｃｅｓｓ  Ｓｅｒｖｉｃｅ  Ｎｅｔｗｏｒｋ  Ｂａｓｅ  Ｓｔａｔｉｏｎ、略称ＡＳＮ  ＢＳ）、又は、ＣＤＭＡネットワークにおけるＨＲＰＤ  ＡＮのアクセスネットワーク論理機能、又は、その他のネットワーク要素でもよい。
【００３７】
ステップ３０１において、具体的には、セルの輻輳状態情報を取得することは、上記情報が指示するセルの輻輳状態情報を取得するために、アクセスネットワーク装置によって送信されたセルの輻輳イベントについてのセル輻輳指示情報又は関連情報でもよい。具体的には、このセルの輻輳状態情報は、このセルの輻輳状態情報及びこのセルの非輻輳状態情報を指示してもよく、又は、このセルの輻輳状態情報だけを指示してもよく、このセルの輻輳状態情報が受信されたとき、輻輳がこのセル内で発生したことを指示する状態情報が取得され、すなわち、このセルの輻輳状態情報が受信されない場合、輻輳がこのセル内で発生していないことを指示する。
【００３８】
ステップ３０１において、具体的には、セルのリソース関連情報を取得することは、このセルのリソース関連情報を取得するために、アクセスネットワーク装置によって送信されたこのセルのリソース関連情報を取得してもよい。
【００３９】
ステップ３０１において、具体的には、セル内のアクティブ状態にあるＵＥの加入者関連情報を取得することは、このセル内のアクティブ状態にあるＵＥの加入者関連情報を取得するために、アクセスネットワーク装置によって送信されたこのセル内のアクティブ状態にあるＵＥの加入者リスト情報を受信してもよい。このセル内のアクティブ状態にあるＵＥの個数が変化する場合、すなわち、以下の条件：  非アクティブ状態からアクティブ状態に変化するアクティブ状態にあるＵＥがこのセル内に存在すること、アクティブ状態から非アクティブ状態に変化する非アクティブ状態にあるＵＥがこのセル内に存在すること、アクティブ状態にあるＵＥがこのセルから出ること、及び、アクティブ状態にあるＵＥがこのセルに入ることのうちの少なくとも１つのタイプが含まれてもよい場合、このセル内のアクティブ状態にあるＵＥの加入者関連情報は、以下の情報のタイプ：このセル内で非アクティブ状態からアクティブ状態に変化するアクティブ状態にあるＵＥの識別情報、このセル内でアクティブ状態から非アクティブ状態に変化する非アクティブ状態にあるＵＥの識別情報、このセルから出るアクティブ状態にあるＵＥの識別情報、及び、このセルに入るアクティブ状態にあるＵＥの識別情報のうちの少なくとも１つを更に含んでもよい。
【００４０】
具体的には、アクセスネットワーク装置は、ＰＣＲＦによって送信されたセル輻輳状態を検出するシグナリングに応じてセル輻輳状態を検出し、ＰＣＲＦがセル輻輳指示情報に応じてこのセルの輻輳状態情報又はこのセルの非輻輳情報を取得することを可能にするために、このセルのセル輻輳指示情報をＰＣＲＦに送信するか、又は、アクセスネットワーク装置がこのセルは輻輳していることを検出したとき、アクセスネットワーク装置は、ＰＣＲＦがセル輻輳指示情報に応じてこのセルの輻輳状態情報を取得することを可能にするために、セル輻輳指示情報をＰＣＲＦに送信する。
【００４１】
具体的には、アクセスネットワーク装置は、ＰＣＲＦによって送信された、セルリソースに問い合わせるシグナリングに応じて、セルリソースに問い合わせ、このセルのリソース関連情報をＰＣＲＦに送信してもよい。
【００４２】
対応して、アクセスネットワーク装置は、ＰＣＲＦによって送信された、セル内のアクティブ状態にあるＵＥに問い合わせるシグナリングに応じて、このセル内のアクティブ状態にあるＵＥの加入者情報を問い合わせ、このセル内のアクティブ状態にあるＵＥの加入者リスト情報をＰＣＲＦに送信してもよく、更に、アクセスネットワーク装置は、ＰＣＲＦによって送信されたこのセル内のアクティブ状態にあるＵＥの変化を検出するシグナリングに応じて、このセル内のアクティブ状態変化におけるＵＥの変化を検出し、以下の情報のタイプ：このセル内の非アクティブ状態からアクティブ状態に変化するアクティブ状態にあるＵＥの識別情報、このセル内のアクティブ状態から非アクティブ状態に変化するアクティブ状態にあるＵＥの識別情報、このセルから出るアクティブ状態にあるＵＥの識別情報、及び、このセルに入るアクティブ状態にあるＵＥの識別情報のうちの少なくとも１つをＰＣＲＦに送信してもよい。
【００４３】
具体的には、セルの輻輳状態情報、このセルのリソース関連情報、及びこのセル内のアクティブ状態にあるＵＥの加入者関連情報は、現在の属性値ペア（Ａｔｔｒｉｂｕｔｅ−Ｖａｌｕｅ  Ｐａｉｒｓ、略称：ＡＶＰ）を使用して伝送されてもよい。たとえば、輻輳レベルＡＶＰ（Ｃｏｎｇｅｓｔｉｏｎ−Ｌｅｖｅｌ  ＡＶＰ）が、このセルの輻輳状態情報を指示するために使用されてもよく、最大要求帯域幅ＵＬ／最大要求帯域幅ＤＬ（Ｍａｘ−Ｒｅｑｕｅｓｔｅｄ−Ｂａｎｄｗｉｄｔｈ−ＵＬ／Ｍａｘ−Ｒｅｑｕｅｓｔｅｄ−Ｂａｎｄｗｉｄｔｈ−ＤＬ）は、このセルがサポートする最大データサービス帯域幅を指示するために使用されてもよく、加入Ｉｄ  ＡＶＰ（Ｓｕｂｓｃｒｉｐｔｉｏｎ−Ｉｄ  ＡＶＰ）は、ＵＥ識別情報及びその他のＡＶＰを指示するために使用されてもよく、又は、新しいＡＶＰは、このセル内のアクティブ状態にあるＵＥの加入者関連情報を伝送するために定義されてもよく、具体的な定義方法は、以下の通りである。
【００４４】
輻輳指示ＡＶＰ（Ｃｏｎｇｅｓｔｉｏｎ＿Ｉｎｄｉｃａｔｉｏｎ  ＡＶＰ）は、セル輻輳を指示するために使用され、セル識別情報（Ｃｅｌｌ  ＩＤ）を含んでもよく、又は、セル識別情報を含まなくてもよいが、同じメッセージでセル識別と共に送信される。
【数１】
0006025926.tif 000002
【００４５】
セルリソース情報ＡＶＰ（Ｃｅｌｌ＿Ｒｅｓｏｕｒｃｅ＿Ｉｎｆｏ  ＡＶＰ）は、セルのリソース関連情報を指示するために使用され、セルの最大アップストリーム帯域幅を指示する最大セル帯域幅ＵＬ  ＡＶＰ（Ｍａｘ−Ｃｅｌｌ−Ｂａｎｄｗｉｄｔｈ−ＵＬ  ＡＶＰ）と、セルの最大ダウンストリーム帯域幅を指示する最大セル帯域幅ＤＬ  ＡＶＰ（Ｍａｘ−Ｃｅｌｌ−Ｂａｎｄｗｉｄｔｈ−ＤＬ  ＡＶＰ）と、セルがサポートするＵＥの最大数を指示する最大ユーザ数  ＡＶＰ（Ｍａｘ−Ｕｓｅｒ−Ｎｕｍｂｅｒ  ＡＶＰ）とを含む。
【数２】
0006025926.tif 000003
【００４６】
セル内ユーザリスト  ＡＶＰ（Ｕｓｅｒ＿Ｌｉｓｔ＿Ｉｎ＿Ｃｅｌｌ  ＡＶＰ）は、セル内のアクティブ状態にあるＵＥの加入者リスト情報を指示するために使用され、１個以上のＵＥ識別情報（Ｓｕｂｓｃｒｉｐｔｉｏｎ−Ｉｄ）を含む。たとえば、国際移動体加入者識別番号（Ｉｎｔｅｒｎａｔｉｏｎａｌ  Ｍｏｂｉｌｅ  Ｓｕｂｓｃｒｉｂｅｒ  Ｉｄｅｎｔｉｆｉｃａｔｉｏｎ  Ｎｕｍｂｅｒ、略称：ＩＭＳＩ）及びネットワークアクセス識別子（Ｎｅｔｗｏｒｋ  Ａｃｃｅｓｓ  Ｉｄｅｎｔｉｆｉｅｒ、略称：ＮＡＩ）：
【数３】
0006025926.tif 000004
【００４７】
圏内ユーザＡＶＰ（Ｕｓｅｒ＿Ｉｎ  ＡＶＰ）は、セルに入るアクティブ状態にあるＵＥを指示し、このセルに入るアクティブ状態にあるＵＥの識別情報及びセル識別情報を含む：
【数４】
0006025926.tif 000005
【００４８】
圏外ユーザＡＶＰ（Ｕｓｅｒ＿Ｏｕｔ  ＡＶＰ）は、セルから出るアクティブ状態にあるＵＥを指示し、このセルから出るアクティブ状態にあるＵＥの識別情報及びセル識別情報を含む：
【数５】
0006025926.tif 000006
【００４９】
アクティブユーザＡＶＰ（Ｕｓｅｒ＿Ａｃｔｉｖｅ  ＡＶＰ）は、セル内のアクティブ状態にあるＵＥを指示し、このセル内のアクティブ状態にあるＵＥの識別情報及びセル識別情報を含む：
【数６】
0006025926.tif 000007
【００５０】
非アクティブユーザＡＶＰ（Ｕｓｅｒ＿Ｄｅａｃｔｉｖｅ  ＡＶＰ）は、セル内の非アクティブ状態にあるＵＥを指示し、このセル内の非アクティブ状態にあるＵＥの識別情報及びセル識別情報を含む：
【数７】
0006025926.tif 000008
【００５１】
具体的には、既存のＡＶＰ又は新たに定義されたＡＶＰは、限定されることなく以下の態様で、セルの輻輳状態情報、このセルのリソース関連情報、及び、このセル内のアクティブ状態にあるＵＥの加入者関連情報を伝送するために使用されてもよい。
Ａ．セルの輻輳状態情報、このセルのリソース関連情報、及び、このセル内のアクティブ状態にあるＵＥの加入者関連情報は、既存のＡＶＰ又は新たに定義されたＡＶＰを使用して既存のメッセージで伝送される。たとえば、Ｅ−ＵＴＲＡＮでは、Ｅ−ＲＡＢセットアップ応答（Ｅ−ＲＡＢ  ＳＥＴＵＰ  ＲＥＳＰＯＮＳＥ）メッセージ、Ｅ−ＲＡＢ修正応答（Ｅ−ＲＡＢ  ＭＯＤＩＦＹ  ＲＥＳＰＯＮＳＥ）メッセージ、又は、Ｅ−ＲＡＢ解放応答（Ｒ−ＲＡＢ  ＲＥＬＥＡＳＥ  ＲＥＳＰＯＮＳＥ）メッセージ、又はＥ−ＲＡＢ解放指示（Ｅ−ＲＡＢ  ＲＥＬＥＡＳＥ  ＩＮＤＩＣＡＴＩＯＮ）メッセージ等のｅＮＢによってモバイル・マネジメント・エンティティ（Ｍｏｂｉｌｅ  Ｍａｎａｇｅｍｅｎｔ  Ｅｎｔｉｔｙ、略称：ＭＭＥ）に送信されたＳ１インターフェース・メッセージと、セッション作成要求（Ｃｒｅａｔｅ  Ｓｅｓｓｉｏｎ  Ｒｅｑｕｅｓｔ）メッセージ、ベアラ・リソース・コマンド（Ｂｅａｒｅｒ  Ｒｅｓｏｕｒｃｅ  Ｃｏｍｍａｎｄ）メッセージ、ベアラ修正要求（Ｍｏｄｉｆｙ  Ｂｅａｒｅｒ  Ｒｅｑｕｅｓｔ）メッセージ、又は、セッション削除要求（Ｄｅｌｅｔｅ  Ｓｅｓｓｉｏｎ  Ｒｅｑｕｅｓｔ）メッセージ等のＭＭＥによってＳ−ＧＷに送信されたＳ１１インターフェース・メッセージ及びＳ−ＧＷによってＰ−ＧＷに送信されたＳ５／Ｓ８インターフェース・メッセージと、与信管理要求（Ｃｒｅｄｉｔ−Ｃｏｎｔｒｏｌ−Ｒｅｑｕｅｓｔ、略称：ＣＣＲ）メッセージ、又は、再認証応答（Ｒｅ−Ａｕｔｈ−Ａｎｓｗｅｒ、略称：ＲＡＡ）メッセージ等のＰ−ＧＷについてＰＣＥＦによって、又は、Ｓ−ＧＷについてＢＢＥＲＦによってＰＣＲＦに送信されたＧｘ／Ｇｘｘインターフェース・メッセージとである。
Ｂ．セルの輻輳状態情報、このセルのリソース関連情報、及びこのセル内のアクティブ状態にあるＵＥの加入者関連情報は、既存のＡＶＰ又は新たに定義されたＡＶＰを使用して、アクセスネットワーク装置とＰＣＲＦとの間に新たに追加されたインターフェース・メッセージ中で伝送されてもよい
Ｃ．セルの輻輳状態情報、このセルのリソース関連情報、及びこのセル内のアクティブ状態にあるＵＥの加入者関連情報は、既存のＡＶＰ又は新たに定義されたＡＶＰを使用して、アクセスネットワーク装置とＰＣＲＦとの間に新たに追加された保守運用管理（Ｏｐｅｒａｔｉｏｎ  ａｎｄ  Ｍａｉｎｔｅｎａｎｃｅ、略称：ＯＭ）システムに対応する新たに追加されたインターフェース・メッセージ中で伝送されてもよい。
【００５２】
更に、ＰＣＲＦは、限定されることなく前述の３態様で、セル輻輳状態を検出するシグナリングと、アクティブ状態にあるＵＥに問い合わせるシグナリングと、アクティブ状態にあるＵＥの変化を検出するシグナリングと、セルに問い合わせるシグナリングとをアクセスネットワーク装置に送信してもよい。
【００５３】
更に、アクセスネットワーク装置は、ＰＣＲＦによって送信されたセル輻輳（ＣＥＬＬ＿ＣＯＮＧＥＳＴＩＯＮ）イベントに応じてセル輻輳状態を検出してもよい。セルが輻輳されていることを検出するとき、アクセスネットワーク装置は、ＰＣＲＦがセル輻輳イベントに応じてセルの輻輳状態情報を取得することを可能にするために、セル輻輳イベント及びセル識別情報をＰＣＲＦに送信する。
【００５４】
同様に、アクセスネットワーク装置は、セル内のアクティブ状態にあるＵＥの変化を検出し、変化するアクティブ状態にあるＵＥの対応するイベント、すなわち、ＵＳＥＲ＿ＩＮイベント、ＵＳＥＲ＿ＯＵＴイベント、ＵＳＥＲ＿ＡＣＴＩＶＥイベント、又は、ＵＳＥＲ＿ＤＥＡＣＴＩＶＥイベントに応じて、以下のイベント：圏内ユーザ（ＵＳＥＲ＿ＩＮ）イベント、アクティブユーザ（ＵＳＥＲ＿ＡＣＴＩＶＥ）イベント、非アクティブユーザ（ＵＳＥＲ＿ＤＥＡＣＴＩＶＥ）イベント、及び非アクティブユーザ（ＵＳＥＲ＿ＤＥＡＣＴＩＶＥ）イベントのうちの少なくとも１つのタイプと、関連ＵＥ（変化したＵＥ）識別情報とをＰＣＲＦに送信してもよい。
【００５５】
具体的には、ＰＣＲＦがセルの輻輳状態情報と、このセル内の変化するＵＥの加入者関連情報とを購読するためにイベントメカニズムを使用するとき、ＰＣＲＦは、既存のＧｘ／Ｇｘｘインターフェースのイベント・トリガーＡＶＰ（Ｅｖｅｎｔ−Ｔｒｉｇｇｅｒ  ＡＶＰ）を拡張することにより、セル輻輳（ＣＥＬＬ＿ＣＯＮＧＥＳＴＩＯＮ）イベント、圏内ユーザ（ＵＳＥＲ＿ＩＮ）イベント、圏外ユーザ（ＵＳＥＲ＿ＯＵＴ）イベント、アクティブユーザ（ＵＳＥＲ＿ＡＣＴＩＶＥ）イベント、及び非アクティブユーザ（ＵＳＥＲ＿ＤＥＡＣＴＩＶＥ）イベント等の新しいイベントを追加する。
【００５６】
更に、セル内のアクティブ状態にあるＵＥの加入者関連情報は、以下の情報のタイプ：ＵＥについての無線アクセス技術（Ｒａｄｉｏ  Ａｃｃｅｓｓ  Ｔｅｃｈｎｏｌｏｇｙ、略称：ＲＡＴ）タイプ情報及び端末タイプ情報のうちの少なくとも１つを更に含んでもよい。
【００５７】
ステップ３０２において、具体的には、ＰＣＲＦは、セルの輻輳状態情報と、このセルのリソース関連情報と、このセル内のアクティブ状態にあるＵＥの加入者関連情報とに応じて、セル内のアクティブ状態にあるＵＥに対するＱｏＳポリシー及び／又は課金ポリシーを生成するために、ＱｏＳポリシー及び／又は課金ポリシー決定を行う。
【００５８】
更に、本実施形態では、ステップ３０１が実行された後、ＰＣＲＦは、セル内のアクティブ状態にあるＵＥの加入者関連情報に応じて、このセル内のアクティブ状態にあるＵＥの加入者加入情報を更に取得してもよく、ここで、加入者加入情報は、限定されることなく、以下の情報のタイプ：加入者レベル情報、加入者が使用することを許可されたデータサービス、及び加入者が使用することを許可された最大データサービス帯域幅のうちの少なくとも１つを含んでもよい。
【００５９】
対応して、ステップ３０２において、ＰＣＲＦは、具体的には、セルの輻輳状態情報と、このセルのリソース関連情報と、このセル内のアクティブ状態にあるＵＥの加入者関連情報と、このセル内のアクティブ状態にあるＵＥの加入者関連情報とに応じて、セル内のアクティブ状態にあるＵＥに対するＱｏＳポリシー及び／又は課金ポリシーを生成する。ＰＣＲＦは、生成されたＱｏＳポリシー及び／又は課金ポリシーをＰＣＥＦに送信し、ＰＣＥＦは、ＱｏＳポリシー及び／又は課金ポリシーを実行し、更に、ＰＣＲＦは、生成されたＱｏＳポリシーをＢＢＥＲＦに更に送信してもよく、ＢＢＥＲＦは、ＱｏＳポリシーを実行する。
【００６０】
たとえば、ＱｏＳポリシーに対し、セルの輻輳状態情報が取得されたとき、アクティブ状態にあるＵＥのデータサービス帯域幅は、アクティブ状態にあるＵＥの加入者レベル（降順にゴールド加入者、シルバー加入者、及びブロンズ加入者）及び／又はセルが現在サポートするデータサービス帯域幅に応じて制限されてもよく、又は、アクティブ状態にあるＵＥによって使用されるデータサービスは、アクティブ状態にあるＵＥの加入者レベル及び／又はセルが現在サポートするデータサービス帯域幅に応じて更に制限されてもよく、又は、ＵＥアクティブ化は、ＵＥの加入者レベル及び／又はセルが現在サポートするデータサービス帯域幅に応じて更に制限されてもよい。たとえば、セル内のアクティブ状態にあるＵＥの個数が第１の閾値を上回るとき、ブロンズ加入者のデータサービス帯域幅が制限され、セル内のアクティブ状態にあるＵＥの個数が第２の閾値を上回るとき、シルバー加入者のデータサービス帯域幅が制限され、セル内のアクティブ状態にあるＵＥの個数が第３の閾値を上回るとき、ゴールド加入者のデータサービス帯域幅が制限され、セル内のアクティブ状態にあるＵＥの個数が第４の閾値を上回るとき、ブロンズ加入者のデータサービスが制限され、セル内のアクティブ状態にあるＵＥの個数が第５の閾値を上回るとき、シルバー加入者のデータサービスが制限され、セル内のアクティブ状態にあるＵＥの個数が第６の閾値を上回るとき、ゴールド加入者のデータサービスが制限され、セル内のアクティブ状態にあるＵＥの個数が第７の閾値を上回るとき、ブロンズ加入者のアクティブ化が制限され、セル内のアクティブ状態にあるＵＥの個数が第８の閾値を上回るとき、シルバー加入者のアクティブ化が制限され、セル内のアクティブ状態にあるＵＥの個数が第９の閾値を上回るとき、ゴールド加入者のアクティブ化が制限される。セル内のアクティブ状態にあるＵＥの個数は、ある特定の期間中にアクティブ状態にあるＵＥの個数でもよく、又は、ある特定の時間にアクティブ状態にあるＵＥの個数でもよく、同様に、異なった加入者レベルのＵＥは、セルが現在サポートするデータサービス帯域幅に応じて更に制限されてもよい。課金ポリシーに対し、アクティブ状態にあるＵＥに対するデータサービス課金標準は、アクティブ状態にあるＵＥの加入者レベル（降順にゴールド加入者、シルバー加入者、及びブロンズ加入者）に応じて引き上げ又は引き下げられてもよい。たとえば、アクティブ状態にあるＵＥの個数が第１の閾値を上回るとき、ブロンズ加入者に対するデータサービス課金標準が引き上げられ、アクティブ状態にあるＵＥの個数が第２の閾値を上回るとき、シルバー加入者に対するデータサービス課金標準が引き上げられ、アクティブ状態にあるＵＥの個数が第３の閾値を上回るとき、ゴールド加入者に対するデータサービス課金標準が引き上げられる。
【００６１】
本実施形態では、アクセスネットワーク装置によって送信されたセルの輻輳状態情報とこのセルのリソース関連情報とこのセル内のアクティブ状態にあるＵＥの加入者関連情報とを取得することにより、ＰＣＲＦは、取得された情報に応じてこのセル内のアクティブ状態にあるＵＥに対するＱｏＳポリシー及び／又は課金ポリシーを生成し、ＰＣＥＦがＱｏＳポリシー及び／又は課金ポリシーを実行することを可能にするために、ＱｏＳポリシー及び／又は課金ポリシーをＰＣＥＦに送信することができ、それによって、セル内のアクティブ状態にある全ＵＥのサービスの制御を実施する。このことは、このセル内のアクティブ状態にあるＵＥのサービスが正常に進行することを保証する。
【００６２】
以下は、一例としてＵＴＲＡＮ／ＧＥＲＡＮを使用して本発明の実施形態の技術的解決手法を詳細に説明する。図４は、本発明の実施形態２において提供されるサービスを制御する方法の概略フローチャートである。図４に示されるように、本実施形態においてサービスを制御する方法は、以下のステップを含んでもよい。
【００６３】
ステップ４０１：ＰＣＲＦは、ＧＧＳＮ及び一般パケット無線サービス（Ｇｅｎｅｒａｌ  Ｐａｃｋｅｔ  Ｒａｄｉｏ  Ｓｅｒｖｉｃｅ、略称：ＧＰＲＳ）サービングＧＰＲＳサポートノード（Ｓｅｒｖｉｎｇ  ＧＰＲＳ  Ｓｕｐｐｏｒｔｉｎｇ  Ｎｏｄｅ、略称：ＳＧＳＮ）を介してセルの輻輳状態情報、このセルのリソース関連情報、及びこのセル内のアクティブ状態にあるＵＥの加入者関連情報を購読する。セル内のアクティブ状態にあるＵＥの加入者関連情報は、このセル内のアクティブ状態にあるＵＥの加入者リスト情報と、このセル内で非アクティブ状態からアクティブ状態に変化するアクティブ状態にあるＵＥの情報と、このセル内のアクティブ状態から非アクティブ状態に変化するアクティブ状態にあるＵＥの情報と、セルから出るアクティブ状態にあるＵＥの情報と、セルに入るアクティブ状態にあるＵＥの情報とを含んでもよい。
【００６４】
ＰＣＥＦの論理機能は、ＧＧＳＮに一体化される。
【００６５】
具体的には、ＰＣＲＦは、既存のメッセージ（ＰＣＲＦによってＧＧＳＮに送信されたメッセージ、ＧＧＳＮによってＳＧＳＮに送信されたメッセージ、及びＳＧＳＮによってＲＮＣ／ＢＳＣに送信されたメッセージを含む）を使用してＲＮＣ／ＢＳＣを使って加入する。前述のメッセージは、イベント・トリガーＡＶＰ（Ｅｖｅｎｔ−Ｔｒｉｇｇｅｒ  ＡＶＰ）と、セル内のアクティブ状態にあるＵＥに問い合わせるシグナリングと、セルリソースに問い合わせるシグナリングとを含む。イベント・トリガーＡＶＰ（Ｅｖｅｎｔ−Ｔｒｉｇｇｅｒ  ＡＶＰ）は、セル輻輳（ＣＥＬＬ＿ＣＯＮＧＥＳＴＩＯＮ）イベントと、圏内ユーザ（ＵＳＥＲ＿ＩＮ）イベントと、圏外ユーザ（ＵＳＥＲ＿ＯＵＴ）イベントと、アクティブユーザ（ＵＳＥＲ＿ＡＣＴＩＶＥ）イベントと、非アクティブユーザ（ＵＳＥＲ＿ＤＥＡＣＴＩＶＥ）イベントとを含む。
【００６６】
ステップ４０２：ＲＮＣ／ＢＳＣは、イベント・トリガーＡＶＰに含まれるイベントと、セル内のアクティブ状態にあるＵＥに問い合わせるシグナリングと、セルリソースに問い合わせるシグナリングとに応じて、セル内のアクティブ状態にあるＵＥの加入者リスト情報とこのセルのリソース関連情報とをＳＧＳＮ及びＧＧＳＮを介してＰＣＲＦに送信し、セル状態（輻輳又は非輻輳）とこのセル内のアクティブ状態にあるＵＥの変化とを検出する。
【００６７】
具体的には、ＲＮＣ／ＢＳＣは、（ＲＮＣ／ＢＳＣによってＳＧＳＮに送信されたメッセージと、ＳＧＳＮによってＧＧＳＮに送信されたメッセージと、ＧＧＳＮによってＰＣＲＦに送信されたメッセージとを含む）既存のメッセージを使用して、セル内のアクティブ状態にあるＵＥの加入者リスト情報とこのセルのリソース関連情報とをＰＣＲＦに送信してもよい。前述のメッセージは、セル内のアクティブ状態にあるＵＥの加入者リスト情報とセルについてのリソース関連情報とをそれぞれ指定するセル内ユーザリストＡＶＰ（Ｕｓｅｒ＿Ｌｉｓｔ＿Ｉｎ＿Ｃｅｌｌ  ＡＶＰ）とセルリソース情報ＡＶＰ（Ｃｅｌｌ＿Ｒｅｓｏｕｒｃｅ＿Ｉｎｆｏ  ＡＶＰ）とを含む。
【００６８】
ステップ４０３：セルが輻輳していること、又は、セル内のアクティブ状態にあるＵＥが変化していることを検出したとき、ＲＮＣ／ＢＳＣは、ＳＧＳＮ及びＧＧＳＮを介してセル輻輳（ＣＥＬＬ＿ＣＯＮＧＥＳＴＩＯＮ）イベント及びセル識別情報をＰＣＲＦに送信するか、又は、以下のイベント：圏内ユーザ（ＵＳＥＲ＿ＩＮ）イベント、圏外ユーザ（ＵＳＥＲ＿ＯＵＴ）イベント、アクティブユーザ（ＵＳＥＲ＿ＡＣＴＩＶＥ）、及び非アクティブユーザ（ＵＳＥＲ＿ＤＥＡＣＴＩＶＥ）イベントのうちの少なくとも１つと関連ＵＥ識別情報とを送信する。
【００６９】
ステップ４０４：ＰＣＲＦは、セル内のアクティブ状態にあるＵＥの加入者関連情報に応じて、セル内のアクティブ状態にあるＵＥの加入者加入情報を取得する。
【００７０】
ステップ４０５：ＰＣＲＦは、セル内のアクティブ状態にあるＵＥの受信した加入者リスト情報と、このセルのリソース関連情報と、セル輻輳（ＣＥＬＬ＿ＣＯＮＧＥＳＴＩＯＮ）イベントと、このセル内のアクティブ状態にあるＵＥの加入者加入情報とに応じて、又は、このセル内のアクティブ状態にあるＵＥの受信した加入者リスト情報と、このセルのリソース関連情報と、このセル内のアクティブ状態にあるＵＥの加入者加入情報と、セル輻輳（ＣＥＬＬ＿ＣＯＮＧＥＳＴＩＯＮ）イベントと、以下のイベント：圏内ユーザ（ＵＳＥＲ＿ＩＮ）イベント、圏外ユーザ（ＵＳＥＲ＿ＯＵＴ）イベント、アクティブユーザ（ＵＳＥＲ＿ＡＣＴＩＶＥ）イベント、及び非アクティブユーザ（ＵＳＥＲ＿ＤＥＡＣＴＩＶＥ）イベントのうちの少なくとも１つとに応じて、セル内のアクティブ状態にあるＵＥに対するＱｏＳポリシー及び／又は課金ポリシーを生成するためにＰＣＣポリシー決定を行う。
【００７１】
具体的には、ＱｏＳポリシー及び／又は課金ポリシーに関する詳細な説明のため、ここでは再び更に説明されることがない本発明の実施形態１における関連内容が参照されてもよい。
【００７２】
ステップ４０６：ＰＣＲＦは、ＱｏＳポリシー及び／又は課金ポリシーをＧＧＳＮに送信する。
【００７３】
ステップ４０７：ＧＧＳＮは、ＱｏＳポリシー及び／又は課金ポリシーを取り込み、実行する。
【００７４】
具体的には、ＱｏＳポリシー及び／又は課金ポリシーがゴールド加入者に対するデータサービス帯域幅を増加させるべき場合、ＧＧＳＮは、アクティブ状態にある関連ＵＥによって担われる修正プロセスを開始してもよい。詳細な説明のため、ここでは再び説明されることがない従来技術における関連内容が参照されてもよい。
【００７５】
本実施形態では、ＰＣＲＦは、ＳＧＳＮ及びＧＧＳＮを介してＲＮＣ／ＢＳＣによって送信されたセルの輻輳状態情報と、このセルのリソース関連情報と、セル内のアクティブ状態にあるＵＥの加入者関連情報とを取得するために、ＲＮＣ／ＢＳＣを使ってＧＧＳＮ及びＳＧＳＮを介して、セルの輻輳状態情報と、このセルのリソース関連情報と、セル内のアクティブ状態にあるＵＥの加入者関連情報とを購読し、セル内のアクティブ状態にあるＵＥの加入者関連情報に応じてセル内のアクティブ状態にあるＵＥの加入者加入情報を取得し、その結果、ＰＲＣＦは、取得された情報に応じてセル内のアクティブ状態にあるＵＥに対するＱｏＳポリシー及び／又は課金ポリシーを生成し、生成されたＱｏＳポリシー及び／又は課金ポリシーをＧＧＳＮに送信し、それによって、セル内のアクティブ状態にある全ＵＥのサービスの制御を実施する。このことは、セル内のアクティブ状態にあるＵＥのサービスが正常に進行することを保証する。
【００７６】
図５は、本発明の実施形態３において提供されるサービスを制御する方法の概略フローチャートである。図５に示されるように、本実施形態においてサービスを制御する方法は、以下のステップを含んでもよい。
【００７７】
ステップ５０１：ＰＣＲＦは、ＯＭシステムを介してＲＮＣ／ＢＳＣを使ってセルの輻輳状態情報と、このセルのリソース関連情報と、このセル内のアクティブ状態にあるＵＥの加入者関連情報とを購読する。
【００７８】
セル内のアクティブ状態にあるＵＥの加入者関連情報は、このセル内のアクティブ状態にあるＵＥの加入者リスト情報と、このセル内で非アクティブ状態からアクティブ状態に変化するＵＥの情報と、このセル内のアクティブ状態から非アクティブ状態に変化するアクティブ状態にあるＵＥの情報と、このセルから出るアクティブ状態にあるＵＥの情報と、このセルに入るアクティブ状態にあるＵＥの情報とを含んでもよい。
【００７９】
具体的には、ＰＣＲＦは、（ＰＣＲＦによってＯＭシステムに送信された新たに追加されたインターフェース・メッセージと、ＯＭシステムによってＲＮＣ／ＢＳＣに送信された新たに追加されたインターフェース・メッセージとを含む）新たに追加されたインターフェース・メッセージを使用して、ＲＮＣ／ＢＳＣを使って加入してもよい。前述のメッセージは、イベント・トリガーＡＶＰ（Ｅｖｅｎｔ−Ｔｒｉｇｇｅｒ  ＡＶＰ）と、セル内のアクティブ状態にあるＵＥに問い合わせるシグナリングと、セルリソースに問い合わせるシグナリングとを含む。イベント・トリガーＡＶＰ（Ｅｖｅｎｔ−Ｔｒｉｇｇｅｒ  ＡＶＰ）は、セル輻輳（ＣＥＬＬ＿ＣＯＮＧＥＳＴＩＯＮ）イベントと、圏内ユーザ（ＵＳＥＲ＿ＩＮ）イベントと、圏外ユーザ（ＵＳＥＲ＿ＯＵＴ）イベントと、アクティブユーザ（ＵＳＥＲ＿ＡＣＴＩＶＥ）イベントと、非アクティブユーザ（ＵＳＥＲ＿ＤＥＡＣＴＩＶＥ）イベントとを含む。
【００８０】
ステップ５０２：ＲＮＣ／ＢＳＣは、イベント・トリガーＡＶＰに含まれるイベントと、セル内のアクティブ状態にあるＵＥに問い合わせるシグナリングと、セルリソースに問い合わせるシグナリングとに応じて、セル内のアクティブ状態にあるＵＥの加入者リスト情報とこのセルのリソース関連情報とをＯＭシステムを介してＰＣＲＦに送信し、セル状態（輻輳又は非輻輳）とセル内のアクティブ状態にあるＵＥの変化とを検出する。
【００８１】
具体的には、ＲＮＣ／ＢＳＣは、セル内のアクティブ状態にあるＵＥの加入者リスト情報と、このセルのリソース関連情報とを（ＲＮＣ／ＢＳＣによってＯＭシステムに送信された新たに追加されたインターフェース・メッセージと、ＯＭシステムによってＰＣＲＦに送信された新たに追加されたインターフェース・メッセージとを含む）新たに追加されたインターフェース・メッセージを使用してＰＣＲＦに送信してもよい。前述のメッセージは、セル内のアクティブ状態にあるＵＥの加入者リスト情報とセルについてのリソース関連情報とをそれぞれ指示するセル内ユーザリストＡＶＰ（Ｕｓｅｒ＿Ｌｉｓｔ＿Ｉｎ＿Ｃｅｌｌ  ＡＶＰ）とセルリソース情報ＡＶＰ（Ｃｅｌｌ＿Ｒｅｓｏｕｒｃｅ＿Ｉｎｆｏ  ＡＶＰ）とを含む。
【００８２】
ステップ５０３：セルが輻輳していること、又は、セル内のアクティブ状態にあるＵＥが変化していることを検出したとき、ＲＮＣ／ＢＳＣは、セル輻輳（ＣＥＬＬ＿ＣＯＮＧＥＳＴＩＯＮ）イベント及びセル識別情報をＯＭシステムを介してＰＣＲＦに送信し、又は、以下のイベント：圏内ユーザ（ＵＳＥＲ＿ＩＮ）イベント、圏外ユーザ（ＵＳＥＲ＿ＯＵＴ）イベント、アクティブユーザ（ＵＳＥＲ＿ＡＣＴＩＶＥ）イベント、及び、非アクティブユーザ（ＵＳＥＲ＿ＤＥＡＣＴＩＶＥ）イベントのうちの少なくとも１つと関連ＵＥ識別情報とを送信する。
【００８３】
ステップ５０４：ＰＣＲＦは、セル内のアクティブ状態にあるＵＥの加入者関連情報に応じてセル内のアクティブ状態にあるＵＥの加入者加入情報を取得する。
【００８４】
ステップ５０５：ＰＣＲＦは、セル内のアクティブ状態にあるＵＥの受信した加入者リスト情報と、セルのリソース関連情報と、セル輻輳（ＣＥＬＬ＿ＣＯＮＧＥＳＴＩＯＮ）イベントと、セル内のアクティブ状態にあるＵＥの加入者加入情報とに応じて、又は、セル内のアクティブ状態にあるＵＥの受信した加入者リスト情報と、セルのリソース関連情報と、セル内のアクティブ状態にあるＵＥの加入者加入情報と、セル輻輳（ＣＥＬＬ＿ＣＯＮＧＥＳＴＩＯＮ）イベントと、以下のイベント：圏内ユーザ（ＵＳＥＲ＿ＩＮ）イベント、圏外ユーザ（ＵＳＥＲ＿ＯＵＴ）イベント、アクティブユーザ（ＵＳＥＲ＿ＡＣＴＩＶＥ）イベント、及び非アクティブユーザ（ＵＳＥＲ＿ＤＥＡＣＴＩＶＥ）イベントのうちの少なくとも１つとに応じて、セル内のアクティブ状態にあるＵＥに対するＱｏＳポリシー及び／又は課金ポリシーを生成するためにＰＣＣポリシー決定を行う。具体的には、ＱｏＳポリシー及び／又は課金ポリシーに関する詳細な説明のため、ここでは再び更に説明されることがない本発明の実施形態１における関連内容が参照されてもよい。
【００８５】
ステップ５０６：ＰＣＲＦは、ＱｏＳポリシー及び／又は課金ポリシーをＧＧＳＮに送信し、ＧＧＳＮは、ＰＣＥＦ論理機能と一体化する。
【００８６】
ステップ５０７：ＧＧＳＮは、ＱｏＳポリシー及び／又は課金ポリシーを取り込み、実行する。
【００８７】
具体的には、ＱｏＳポリシー及び／又は課金ポリシーがゴールド加入者に対するデータサービス帯域幅を増加させるべきである場合、ＧＧＳＮは、アクティブ状態にある関連ＵＥによって担われる修正プロセスを開始してもよい。詳細な説明のため、ここでは再び説明されることがない従来技術における関連内容が参照されてもよい。
【００８８】
本実施形態では、ＰＣＲＦは、ＯＭシステムを介してＲＮＣ／ＢＳＣによって送信されたセルについての輻輳状態情報と、このセルのリソース関連情報と、セル内のアクティブ状態にあるＵＥの加入者関連情報とを取得するために、ＲＮＣ／ＢＳＣを使ってＯＭシステムを介して、セルの輻輳状態情報と、このセルのリソース関連情報と、セル内のアクティブ状態にあるＵＥの加入者関連情報とを購読し、セル内のアクティブ状態にあるＵＥの加入者関連情報に応じてセル内のアクティブ状態にあるＵＥの加入者加入情報を取得し、その結果、ＰＲＣＦは、取得された情報に応じてセル内のアクティブ状態にあるＵＥに対するＱｏＳポリシー及び／又は課金ポリシーを生成し、生成されたＱｏＳポリシー及び／又は課金ポリシーをＧＧＳＮに送信し、それによって、セル内のアクティブ状態にある全ＵＥのサービスの制御を実施する。このことは、セル内のアクティブ状態にあるＵＥのサービスが正常に進行することを保証する。
【００８９】
図６は、本発明の実施形態６において提供される方法の概略フローチャートである。図６に示されるように、本実施形態においてサービスを制御する方法は、以下のステップを含んでもよい。
【００９０】
ステップ６０１：ＰＣＲＦは、ＲＮＣ／ＢＳＣを使って直接的に、セルの輻輳状態情報と、このセルのリソース関連情報と、このセル内のアクティブ状態にあるＵＥの加入者関連情報とを購読する。
【００９１】
セル内のアクティブ状態にあるＵＥの加入者関連情報は、このセル内のアクティブ状態にあるＵＥの加入者リスト情報と、このセル内で非アクティブ状態からアクティブ状態に変化するアクティブ状態にあるＵＥの情報と、このセル内のアクティブ状態から非アクティブ状態に変化するアクティブ状態にあるＵＥの情報と、このセルから出るアクティブ状態にあるＵＥの情報と、このセルに入るアクティブ状態にあるＵＥの情報とを含んでもよい。
【００９２】
具体的には、ＰＣＲＦは、新たに追加されたインターフェース・メッセージを使用してＲＮＣ／ＢＳＣを使って加入してもよい。前述のメッセージは、イベント・トリガーＡＶＰ（Ｅｖｅｎｔ−Ｔｒｉｇｇｅｒ  ＡＶＰ）と、セル内のアクティブ状態にあるＵＥに問い合わせるシグナリングと、セルリソースに問い合わせるシグナリングとを含む。イベント・トリガーＡＶＰ（Ｅｖｅｎｔ−Ｔｒｉｇｇｅｒ  ＡＶＰ）は、セル輻輳（ＣＥＬＬ＿ＣＯＮＧＥＳＴＩＯＮ）イベントと、圏内ユーザ（ＵＳＥＲ＿ＩＮ）イベントと、圏外ユーザ（ＵＳＥＲ＿ＯＵＴ）イベントと、アクティブユーザ（ＵＳＥＲ＿ＡＣＴＩＶＥ）イベントと、非アクティブユーザ（ＵＳＥＲ＿ＤＥＡＣＴＩＶＥ）イベントとを含む。
【００９３】
ステップ６０２：ＲＮＣ／ＢＳＣは、イベント・トリガーＡＶＰに含まれるイベントと、セル内のアクティブ状態にあるＵＥに問い合わせるシグナリングと、セルリソースに問い合わせるシグナリングとに応じて、セル内のアクティブ状態にあるＵＥの加入者リスト情報と、このセルのリソース関連情報とを直接的にＰＣＲＦに送信し、セル状態（輻輳又は非輻輳）とセル内のアクティブ状態にあるＵＥの変化とを検出する。
【００９４】
具体的には、ＲＮＣ／ＢＳＣは、セル内のアクティブ状態にあるＵＥの加入者リスト情報とこのセルのリソース関連情報とを、新たに追加されたインターフェース・メッセージを使用してＰＣＲＦに送信してもよい。前述のメッセージは、セル内のアクティブ状態にあるＵＥの加入者リスト情報とセルについてのリソース関連情報とをそれぞれ指示するセル内ユーザリストＡＶＰ（Ｕｓｅｒ＿Ｌｉｓｔ＿Ｉｎ＿Ｃｅｌｌ  ＡＶＰ）とセルリソース情報ＡＶＰ（Ｃｅｌｌ＿Ｒｅｓｏｕｒｃｅ＿Ｉｎｆｏ  ＡＶＰ）とを含む。
【００９５】
ステップ６０３：セルが輻輳していること、又は、セル内のアクティブ状態にあるＵＥが変化していることを検出したとき、ＲＮＣ／ＢＳＣは、セル輻輳（ＣＥＬＬ＿ＣＯＮＧＥＳＴＩＯＮ）イベント及びセル識別情報を直接的にＰＣＲＦに送信するか、又は、以下のイベント：圏内ユーザ（ＵＳＥＲ＿ＩＮ）イベント、圏外ユーザ（ＵＳＥＲ＿ＯＵＴ）イベント、アクティブユーザ（ＵＳＥＲ＿ＡＣＴＩＶＥ）イベント、及び、非アクティブユーザ（ＵＳＥＲ＿ＤＥＡＣＴＩＶＥ）イベントのうちの少なくとも１つと関連ＵＥ識別情報とを送信する。
【００９６】
ステップ６０４：ＰＣＲＦは、セル内のアクティブ状態にあるＵＥの加入者関連情報に応じて、セル内のアクティブ状態にあるＵＥの加入者加入情報を取得する。
【００９７】
ステップ６０５：ＰＣＲＦは、セル内のアクティブ状態にあるＵＥの受信した加入者リスト情報と、セルのリソース関連情報と、セル輻輳（ＣＥＬＬ＿ＣＯＮＧＥＳＴＩＯＮ）イベントと、セル内のアクティブ状態にあるＵＥの加入者加入情報とに応じて、又は、セル内のアクティブ状態にあるＵＥの受信した加入者リスト情報と、セルのリソース関連情報と、セル内のアクティブ状態にあるＵＥの加入者加入情報と、セル輻輳（ＣＥＬＬ＿ＣＯＮＧＥＳＴＩＯＮ）イベントと、以下のイベント：圏内ユーザ（ＵＳＥＲ＿ＩＮ）イベント、圏外ユーザ（ＵＳＥＲ＿ＯＵＴ）イベント、アクティブユーザ（ＵＳＥＲ＿ＡＣＴＩＶＥ）イベント、及び非アクティブユーザ（ＵＳＥＲ＿ＤＥＡＣＴＩＶＥ）イベントのうちの少なくとも１つとに応じて、セル内のアクティブ状態にあるＵＥに対するＱｏＳポリシー及び／又は課金ポリシーを生成するためにＰＣＣポリシー決定を行う。
【００９８】
具体的には、ＱｏＳポリシー及び／又は課金ポリシーに関する詳細な説明のため、ここでは再び更に説明されることがない本発明の実施形態１における関連内容が参照されてもよい。
【００９９】
ステップ６０６：ＰＣＲＦは、ＱｏＳポリシー及び／又は課金ポリシーをＧＧＳＮに送信し、ＧＧＳＮは、ＰＣＥＦ論理機能と一体化する。
【０１００】
ステップ６０７：ＧＧＳＮは、ＱｏＳポリシー及び／又は課金ポリシーを取り込み、実行する。
【０１０１】
具体的には、ＱｏＳポリシー及び／又は課金ポリシーがゴールド加入者に対するデータサービス帯域幅を増加させるべきである場合、ＧＧＳＮは、アクティブ状態にある関連ＵＥによって担われる修正プロセスを開始してもよい。詳細な説明のため、ここでは再び説明されることがない従来技術における関連内容が参照されてもよい。
【０１０２】
本実施形態では、ＰＣＲＦは、ＲＮＣ／ＢＳＣによって送信されたセルについての輻輳状態情報と、このセルのリソース関連情報と、セル内のアクティブ状態にあるＵＥの加入者関連情報とを取得するために、ＲＮＣ／ＢＳＣを使って、セルの輻輳状態情報と、このセルのリソース関連情報と、セル内のアクティブ状態にあるＵＥの加入者関連情報とを直接に購読し、セル内のアクティブ状態にあるＵＥの加入者関連情報に応じて、セル内のアクティブ状態にあるＵＥの加入者加入情報を取得し、その結果、ＰＲＣＦは、取得された情報に応じてセル内のアクティブ状態にあるＵＥに対するＱｏＳポリシー及び／又は課金ポリシーを生成し、生成されたＱｏＳポリシー及び／又は課金ポリシーをＧＧＳＮに送信し、それによって、セル内のアクティブ状態にある全ＵＥのサービスの制御を実施する。このことは、セル内のアクティブ状態にあるＵＥのサービスが正常に進行することを保証する。
【０１０３】
説明を簡単にするために、前述の方法実施形態は、一連のアクションの組み合わせとして表現されることに注意されたい。しかし、当業者は、本発明による特定のステップが他の系列を使用するか、又は、同期して実施されてもよいので、本発明が記載されたアクション系列に限定されないことが分かるであろう。説明された実施形態がすべて例示的な実施形態に属すること、及び、関係しているアクション及びモジュールが必ずしも本発明によって必要とされないことは、当業者によって更に理解されるであろう。
【０１０４】
前述の実施形態において、個々の実施形態の説明は、それぞれの焦点を有している。特定の実施形態において詳細に説明されない部分に対して、他の実施形態における関連説明が参照されてもよい。
【０１０５】
図７は、本発明の実施形態５において提供されるサービスを制御する装置の概略フローチャートである。図７に示されるように、本実施形態においてサービスを制御する装置は、取得モジュール７１、決定モジュール７２、及び送信モジュール７３を含み得る。取得モジュール７１は、セルの輻輳状態情報と、このセルのリソース関連情報と、このセル内のアクティブ状態にあるＵＥの加入者関連情報とを受信し、決定モジュール７２は、このセルの輻輳状態情報と、このセルのリソース関連情報と、このセル内のアクティブ状態にあるＵＥの加入者関連情報とに応じて、このセル内のアクティブ状態にあるＵＥに対するＱｏＳポリシー及び／又は課金ポリシーを生成し、送信モジュール７３は、ＰＣＥＦがＱｏＳポリシー及び／又は課金ポリシーを実行することを可能にするために、ＱｏＳポリシー及び／又は課金ポリシーをＰＣＥＦに送信する。
【０１０６】
本発明の実施形態１、２、３、及び４におけるＰＣＲＦの機能は、すべてが本発明の実施形態において提供されるサービスを制御する装置によって実施されてもよい。
【０１０７】
更に、取得モジュール７１は、セル内のアクティブ状態にあるＵＥの加入者関連情報に応じて、セル内のアクティブ状態にあるＵＥの加入者加入情報を取得するように更に構成されてもよく、対応して、決定モジュール７２は、セルの輻輳状態情報と、このセルのリソース関連情報と、このセル内のアクティブ状態にあるＵＥの加入者加入情報とに応じて、セル内のアクティブ状態にあるＵＥに対するＱｏＳポリシー及び／又は課金ポリシーを生成するように具体的に構成されてもよく、送信モジュール７３は、ＰＣＥＦがＱｏＳポリシー及び／又は課金ポリシーを実行することを可能にするために、決定モジュール７２によって生成されたＱｏＳポリシー及び／又は課金ポリシーをＰＣＥＦに送信するように構成される。
【０１０８】
更に、ベアラバインディング及びイベントレポーティング機能エンティティ（Ｂｅａｒｅｒ  Ｂｉｎｄｉｎｇ  ａｎｄ  Ｅｖｅｎｔ  Ｒｅｐｏｒｔｉｎｇ  Ｆｕｎｃｔｉｏｎ、略称：ＢＢＥＲＦ）がネットワーク内に存在する場合、送信モジュール７３は、ＢＢＥＲＦがＱｏＳポリシーを実行することを可能にするために、ＱｏＳポリシーをＢＢＥＲＦに更に送信してもよい。
【０１０９】
更に、本実施形態では、取得モジュール７１は、
アクセスネットワーク装置にセル輻輳状態を検出及び送信することを指令するために、セル輻輳状態を検出するシグナリングをＰＣＥＦ又はＯＭシステムを介して、又は直接的にアクセスネットワーク装置に送信し、アクセスネットワーク装置がこのセルが輻輳していることを検出したときにアクセスネットワーク装置によってＰＣＥＦ若しくはＯＭシステムを介して又は直接的に送信されたセル輻輳指示情報を受信し、そして、セル輻輳指示情報に応じてこのセルの輻輳状態情報を取得するように更に構成されてもよく、又は、
アクセスネットワーク装置がセルのセル輻輳イベントを検出したときにアクセスネットワーク装置にセル輻輳状態を送信することを指令するために、セル輻輳イベントをＰＣＥＦ若しくはＯＭシステムを介して又は直接的にアクセスネットワーク装置に送信し、アクセスネットワーク装置がセルが輻輳していることを検出したときにアクセスネットワーク装置によってＰＣＥＦ若しくはＯＭシステムを介して又は直接的に送信されたセル輻輳イベント及びセル識別情報を受信し、セル輻輳イベントに応じてこのセルについての輻輳状態情報を取得するように更に構成されてもよい。
【０１１０】
更に、本実施形態では、取得モジュール７１は、セルリソースに問い合わせるシグナリングをＰＣＥＦ若しくはＯＭシステムを介して又は直接的にアクセスネットワーク装置に送信し、アクセスネットワーク装置によってＰＣＥＦ若しくはＯＭシステムを介して又は直接的に送信されたセルについてのリソース関連情報を受信するように更に構成されてもよい。
【０１１１】
具体的には、本実施形態におけるセル内のアクティブ状態にあるＵＥの加入者関連情報は、このセル内のアクティブ状態にあるＵＥの加入者リスト情報を含んでもよく、又は、このセル内のアクティブ状態にあるＵＥの加入者関連情報は、このセル内のアクティブ状態にあるＵＥの加入者リスト情報と、このセル内のアクティブ状態にあるＵＥの変化情報とを更に含んでもよい。更に、取得モジュール７１は、本実施形態では、このセル内のアクティブ状態にあるＵＥの加入者情報を問い合わせることをアクセスネットワーク装置に指令するためにセル内のアクティブ状態にあるＵＥに問い合わせるシグナリングを、ＰＣＥＦ若しくはＯＭシステムを介して又は直接的にアクセスネットワーク装置に送信し、そして、アクセスネットワーク装置によってＰＣＥＦ若しくはＯＭシステムを介して又は直接的に送信された、このセル内のアクティブ状態にあるＵＥの加入者リスト情報を受信するように更に構成されてもよい。更に、本実施形態では、取得モジュール７１は、
アクセスネットワーク装置がセル内のアクティブ状態にあるＵＥが変化したことを検出したときに、変化したアクティブ状態にあるＵＥの情報を送信することをアクセスネットワーク装置に指令するために、セル内のアクティブ状態にあるＵＥの変化を検出するシグナリングを、ＰＣＥＦ若しくはＯＭシステムを介して又は直接的にアクセスネットワーク装置に送信し、アクセスネットワーク装置によってＰＣＥＦ若しくはＯＭシステムを介して又は直接的に送信された以下の情報：非アクティブ状態からアクティブ状態に変化したアクティブ状態にあるＵＥの識別情報と、アクティブ状態から非アクティブ状態に変化した非アクティブ状態にあるＵＥの識別情報と、このセルから出るアクティブ状態にあるＵＥの識別情報と、このセルに入るアクティブ状態にあるＵＥの識別情報とのうちの少なくとも１つのタイプを受信するように更に構成されるか、又は、
アクセスネットワーク装置がセル内のアクティブ状態にあるＵＥの以下のイベント：ＵＳＥＲ＿ＩＮイベントと、ＵＳＥＲ＿ＯＵＴイベントと、ＵＳＥＲ＿ＡＣＴＩＶＥイベントと、ＵＳＥＲ＿ＤＥＡＣＴＩＶＥイベントとのうちの少なくとも１つのタイプを検出したときに、変化したアクティブ状態にあるＵＥの情報を送信することをアクセスネットワーク装置に指令するために、以下のイベント：ＵＳＥＲ＿ＩＮイベントと、ＵＳＥＲ＿ＯＵＴイベントと、ＵＳＥＲ＿ＡＣＴＩＶＥイベントと、ＵＳＥＲ＿ＤＥＡＣＴＩＶＥイベントとのうちの少なくとも１つのタイプをＰＣＥＦ若しくはＯＭシステムを介して又は直接的にアクセスネットワーク装置に送信し、そして、アクセスネットワーク装置によってＰＣＥＦ若しくはＯＭシステムを介して又は直接的に送信された以下のイベント：ＵＳＥＲ＿ＩＮイベントと、ＵＳＥＲ＿ＯＵＴイベントと、ＵＳＥＲ＿ＡＣＴＩＶＥイベントと、ＵＳＥＲ＿ＤＥＡＣＴＩＶＥイベントとのうちの少なくとも１つのタイプと関連ＵＥ識別情報とを受信するように更に構成されてもよい。
【０１１２】
本実施形態では、取得モジュールは、アクセスネットワーク装置によって送信されたセルの輻輳状態情報と、このセルのリソース関連情報と、このセル内のアクティブ状態にあるＵＥの加入者関連情報とを取得し、第２の取得モジュールは、このセル内のアクティブ状態にあるＵＥの加入者加入情報を取得し、その結果、決定モジュールは、取得モジュールによって取得された前述の情報に応じて、アクティブ状態にあるＵＥに対するＱｏＳポリシー及び／又は課金ポリシーを生成することを可能にさせられ、送信モジュールは、ＱｏＳポリシー及び／又は課金ポリシーをＰＣＥＦに送信し、又は、ＱｏＳポリシー及び／又は課金ポリシーをＰＣＥＦに送信し、かつ、ＱｏＳポリシーをＢＢＥＲＦに送信し、それによって、このセル内のアクティブ状態にあるＵＥすべてのサービスの制御を実施する。このことは、このセル内のアクティブ状態にあるＵＥのサービスが正常に進行することを保証する。
【０１１３】
図８は、本発明の実施形態６において提供されるサービスを制御するシステムの概略フローチャートである。図８に示されるように、本実施形態におけるサービスを制御するシステムは、アクセスネットワーク装置８１及びＰＣＲＦ  ８２を含んでもよく、ここで、
アクセスネットワーク装置８１は、セルの輻輳状態情報と、このセルのリソース関連情報と、このセル内のアクティブ状態にあるＵＥの加入者関連情報とをＰＣＲＦ  ８２に送信するように構成され、
ＰＣＲＦ  ８２は、アクセスネットワーク装置８１によって送信されたセルの輻輳状態情報と、このセルのリソース関連情報と、このセル内のアクティブ状態にあるＵＥの加入者関連情報とを受信し、このセルの輻輳状態情報と、このセルのリソース関連情報と、このセル内のアクティブ状態にあるＵＥの加入者関連情報とに応じて、このセル内のアクティブ状態にあるＵＥに対するＱｏＳポリシー及び／又は課金ポリシーを生成し、ＰＣＥＦがＰＣＲＦ  ８２によって送信されたＱｏＳポリシー及び／又は課金ポリシーを実行することを可能にするために、生成されたＱｏＳポリシー及び／又は課金ポリシーをＰＣＥＦに送信するように構成される。
【０１１４】
本発明の別の実施形態では、サービスを制御するシステムは、ＰＣＥＦ  ８３を更に含んでもよく、ここで、
ＰＣＥＦ  ８３は、ＰＣＲＦ  ８２によって送信されたＱｏＳポリシー及び／又は課金ポリシーを受信し、実行するように構成される。
【０１１５】
更に、ＰＣＲＦ  ８２は、
セル内のアクティブ状態にあるＵＥの加入者関連情報に応じてセル内のアクティブ状態にあるＵＥの加入者加入情報を取得し、このセルの輻輳状態情報と、このセルのリソース関連情報と、このセル内のアクティブ状態にあるＵＥの加入者関連情報と、このセル内のアクティブ状態にあるＵＥの加入者加入情報とに応じて、このセル内のアクティブ状態にあるＵＥに対するＱｏＳポリシー及び／又は課金ポリシーを生成し、生成されたＱｏＳポリシー及び／又は課金ポリシーをＰＣＥＦ  ８３に送信するように更に構成されてもよく、
対応して、ＰＣＥＦ  ８３は、ＰＣＲＦ  ８２によって送信されたＱｏＳポリシー及び／又は課金ポリシーを実行するように更に構成されてもよい。
【０１１６】
更に、本実施形態において提供されるサービスを制御するシステムは、ＢＢＥＲＦ  ８４を更に含んでもよく、ＰＣＲＦ  ８２は、ＱｏＳポリシーをＢＢＥＲＦ  ８４に更に送信してもよく、同様に、ＢＢＥＲＦ  ８４は、ＰＣＲＦ  ８２によって送信されたＱｏＳポリシーを受信し、実行するように更に構成されてもよい。
【０１１７】
本実施形態では、アクセスネットワーク装置によって送信されたセルの輻輳状態情報と、セルのリソース関連情報と、セル内のアクティブ状態にあるＵＥの加入者関連情報とを取得することにより、ＰＣＲＦは、取得した情報に応じてセル内のアクティブ状態にあるＵＥに対するＱｏＳポリシー及び／又は課金ポリシーを生成し、ＰＣＥＦがＱｏＳポリシー及び／又は課金ポリシーを実行することを可能にするために、ＱｏＳポリシー及び／又は課金ポリシーをＰＣＥＦに送信することが可能であり、それによって、このセル内のアクティブ状態にあるＵＥすべてのサービスの制御を実施する。このことは、セル内のアクティブ状態にあるＵＥのサービスが正常に進行することを保証する。
【０１１８】
当業者は、前述の方法実施形態のステップの全部又は一部が関連したハードウェアに指令するプログラムによって実施されてもよいことを理解するであろう。前述のプログラムは、コンピュータ読み取り可能な記憶媒体に記憶されてもよい。プログラムが動くとき、方法実施形態に含まれる前述のステップが実行される。前述の記憶媒体は、ＲＯＭ、ＲＡＭ、磁気ディスク、又は光ディスク等のプログラムコードを記憶することができるどのような媒体でもよい。
【０１１９】
最後に、前述の実施形態は、本発明を制限するのではなく、単に本発明の技術的解決手法を記載することが意図されていることに注意されたい。本発明は、前述の実施形態を参照して詳細に記載されているが、当業者は、本発明の実施形態の技術的解決手法の趣旨及び範囲から逸脱することなく、前述の実施形態に記載された技術的解決手法に変更を更に行ってもよく、又は、技術的解決手法のある技術的特徴の等価な置換を行ってもよいことを理解するであろう。
【図１】
0006025926.tif 000009
【図２】
0006025926.tif 000010
【図３】
0006025926.tif 000011
【図４】
0006025926.tif 000012
【図５】
0006025926.tif 000013
【図６】
0006025926.tif 000014
【図７】
0006025926.tif 000015
【図８】
0006025926.tif 000016